(57)【特許請求の範囲】
【請求項１】
外部に向って開口した挿入口から手を抜き差しできる乾燥室を有し、この乾燥室の内部において上記乾燥室に挿入される手に対して吹出ノズルにより生成される作動気流を吹き当てて、前記作動気流の運動エネルギ−により手に付着した水分を払拭するように構成した手乾燥装置であって、前記吹出ノズルがスリット形状であるかあるいは多孔形状であるかを問わず、前記吹出ノズルの長手方向と手を挿入する方向が平行であり、手を挿入する方向かつ両手の間に前記吹出ノズルを配置し、前記乾燥室の開口部が前記乾燥室の底面部よりも面積が大きい手乾燥装置。
【発明の詳細な説明】
【技術分野】
【０００１】
本発明は、洗面所やトイレ等で手を洗い、濡れた手を乾燥させる手乾燥装置に関するものである。
【背景技術】
【０００２】
従来、この種の手乾燥装置は、高速風により乾燥する方式としたものが知られている（例えば、特許文献１参照または特許文献２参照）。
【０００３】
以下、その手乾燥装置について図６を参照しながら説明する。
【０００４】
図に示すように、壁面に固定された本体１０１は、フロントケース１０２および下部に突設した水受け皿１０３で構成されており、フロントケース１０２と水受け皿１０３の間に乾燥空間１０２ａが形成される。フロントケース１０２内には送風装置１０４、発熱手段１０５および制御手段１０８が設けられており、フロントケース１０２の下端部には送風吹出ノズル１０６を乾燥空間１０２ａに向けて、水受け皿１０３に向けて送風するように設置されている。また送風吹出ノズル１０６の近傍には乾燥空間１０２ａ内に差し出した手を検知する検知手段１１０が設けられ、前記制御手段１０８は検知手段１１０の検知信号を受けて送風装置１０４および発熱手段１０５を駆動制御している。また、水受け皿１０３の前部および左右側部には突出壁１０７を形成している。
【０００５】
上記構成において濡れた手を乾燥空間１０２ａに挿入すると、検知手段１１０により検知され、送風装置１０４および発熱手段１０５により温風が形成されて吹出ノズル１０６より送風される。このとき差し出した手に温風が当たり、手を乾燥させる。手を引っ込めると検知手段１１０の検出がなくなるので、送風装置１０４および発熱手段１０５は停止する。
【０００６】
また、手から離れた水滴は水受け皿１０３に集められるが、送風吹出ノズル１０６の送風により飛散しやすくなるため、水受け皿１０３の前部および側部の突出壁１０７により周囲への飛散を防止するものであった。
【０００７】
また、送風装置１０４を固定する固定カバー１１１と、送風吹出ノズル１０６と、吸込空間１１２と送風装置１０４を分離する分離カバー１１３によって送風装置１０４を密閉し、全ての部品を接続する送風経路において大気圧よりも上昇させた高静圧状態を構成するものであった。
【特許文献１】特開平１０−７１１０１号公報（第３頁、第１図）
【特許文献２】特許第３４１５０１１号公報
【発明の開示】
【発明が解決しようとする課題】
【０００８】
このような従来の手乾燥装置では手挿入の時に最低限の間隔がないと手がノズルや手乾燥室に触れ、清潔感を損なう恐れがあるため、ノズル吹出口と手との間隔が離れてしまい乾燥時間が長くなるという課題があり、またノズルから出る噴流が手に衝突する際に、挿入口付近に噴流口があるため水滴が乾燥室外に飛散しやすく、また噴流が手に衝突した際に吹き返り顔などにあたる不快な現象が発生しやすいという課題があり、より低騒音で乾燥時間を短縮できることが要求されている。
【０００９】
本発明は、このような従来の課題を解決するものであり、手挿入時に十分な間隔を保ち、かつノズル吹出口と手の間隔を近づけることができることができ、また挿入口付近に噴流口がないため、吹き返ることがなく水滴の飛散もしにくい吹出ノズルを提供することを目的としている。
【課題を解決するための手段】
【００１１】
本発明の手乾燥装置は、上記目標を達成するため外部に向って開口した挿入口から手を抜き差しできる乾燥室を有し、この乾燥室の内部において上記乾燥室に挿入される手に対して吹出ノズルにより生成される作動気流を吹き当てて、前記作動気流の運動エネルギ−により手に付着した水分を払拭するように構成した手乾燥装置であって、前記吹出ノズルがスリット形状であるかあるいは多孔形状であるかを問わず、前記吹出ノズルの長手方向と手を挿入する方向が平行であり、手を挿入する方向かつ両手の間に前記吹出ノズルを配置し、前記乾燥室の開口部が前記乾燥室の底面部よりも面積が大きい手乾燥装置としたものである。そして、本発明によれば、乾燥室の開口部が乾燥室の底面部よりも面積が大きい構成により、乾燥室の形状により指先に吹出ノズルが近傍に配置されるため乾燥時間をすばやくすることができる。
【発明の効果】
【００２０】
本発明によれば、乾燥室の形状により指先に吹出ノズルが近傍に配置されるため乾燥時間をすばやくすることができるという効果のある手乾燥装置を提供できる。
【発明を実施するための最良の形態】
【００２１】
乾燥室の開口部が底面部よりも面積が大きい構成により、指先に吹出ノズルが近傍に配置されるため乾燥時間をすばやくすることができるという作用を有する。
【００２２】
以下、本発明の実施の形態について図面を参照しながら説明する。
【００２３】
（参考例１）
図１〜図５に示すように、壁面に固定された本体１は高圧空気を発生するメインユニット２と、その上部に手を乾燥させる処理空間としての乾燥室３を有し、前記メインユニット２内には、高圧シールユニット４と、この高圧シールユニット４内部には送風装置５を内装し、前記高圧シールユニット４と連通し、前記乾燥室３の中央部分に配設された噴流発生部としての吹出ノズル６により作動気流としての高速風へと変換される。前記吹出ノズル６の長手方向は前記乾燥室３の開口部１０に対して直行して設置されている。
【００２４】
また、前記メインユニット２内には制御手段７を設けて、乾燥室３内に差し出された手を検知する検知手段８を前記吹出ノズル６の近傍に設け、前記制御手段７は前記検知手段８の検知信号を受けて前記送風装置５を駆動制御し、また前記乾燥室３の下部には取り外し可能な水受け９を有している。
【００２５】
上記構成において、乾燥室３に手が差し込まれると、検知手段８が手を検知して、その検知出力がオンとなり、制御手段７を介して送風装置５を動作させ、吹出ノズル６より送出された高速風が手の表面に当たり、付着した水滴を分離しつつ乾燥し、分離された水滴は乾燥室３内の側壁面に付着し、乾燥室３下部の水受け９まで自然に流すことができ、かつ高速風の風向は乾燥室の開口部１０に対して直行しているため、水滴飛散や拭き返りが少なくできる。
【００２６】
なお、送風装置５は、一般的に掃除機などに使用される電動送風機であり、ブラシ付モータによるものおよびブラシレスモータによるものを含み、ターボファンを使用しモータの高速回転による温度上昇を冷却しながら送出するものである。
【００２７】
なお、吹出ノズル６はスリット形状１２あるいは多孔形状１３を風量、風速に合わせて使い分けることでより適切に水滴を除去できる。
【００２８】
（実施の形態１）
図６によって示す本実施の形態は、参考例１で示した手乾燥装置の乾燥室３とその開口部１０および吹出ノズル６に関するものであり、これに係る構成以外は実施の形態１のものと同じである。従って、参考例１のものと同じ部分については、参考例１のものと同じ符号を用い、それらについての説明は省略する。
【００２９】
本実施の形態の手乾燥装置では、乾燥室３の開口部１０が乾燥室３の底面部１１よりも面積が大きくなっている構成となっており、かつ吹出ノズル６は高速風の風向を逆方向としているものである。乾燥室３の形状により指先に吹出ノズル６が近傍に配置されるため乾燥時間をすばやくすることができ、かつ高速風の風向は乾燥室３の開口部１０に対して直行しているため、水滴飛散や拭き返りが少なくできる。
【００３０】
なお、送風装置５は、一般的に掃除機などに使用される電動送風機であり、ブラシ付モータによるものおよびブラシレスモータによるものを含み、ターボファンを使用しモータの高速回転による温度上昇を冷却しながら送出するものである。
【００３１】
なお、吹出ノズル６はスリット形状１２あるいは多孔形状１３を風量、風速に合わせて使い分けることでより適切に水滴を除去できる。
【００３２】
（参考例２）
図７によって示す本参考例は、参考例１で示した手乾燥装置の乾燥室３とその開口部１０および吹出ノズル６に関するものであり、これに係る構成以外は参考例１のものと同じである。従って、参考例１のものと同じ部分については、参考例１のものと同じ符号を用い、それらについての説明は省略する。
【００３３】
参考例２の手乾燥装置では吹出ノズル６は高速風の風向が複数の対向する方向としているものである。高速風の風向は乾燥室３の開口部１０に対して直行しているため、水滴飛散や拭き返りが少なくできる。
【００３４】
なお、送風装置５は、一般的に掃除機などに使用される電動送風機であり、ブラシ付モータによるものおよびブラシレスモータによるものを含み、ターボファンを使用しモータの高速回転による温度上昇を冷却しながら送出するものである。
【００３５】
なお、吹出ノズル６はスリット形状１２あるいは多孔形状１３を風量、風速に合わせて使い分けることでより適切に水滴を除去できる。
【産業上の利用可能性】
【００３６】
本発明にかかる手乾燥装置は、噴流発生部の風量、風速を同等にした状態でも乾燥性能を向上することができ、乾燥性能を同等とした場合には風量、風速を低減できるため、騒音を低減することができ、かつ水滴が飛散することがないため、使用者の不快感を軽減するという効果を有し、洗面所やトイレ等で手を洗い、濡れた手を乾燥させる装置等として有効である。
【図面の簡単な説明】
【００３７】
【図１】参考例１の構造を示す正面断面図
【図２】同側面断面図
【図３】同斜視図
【図４】同吹出ノズルのスリット形状図
【図５】同吹出ノズルの多孔形状図
【図６】本発明の実施の形態１の構造を示す正面断面図
【図７】参考例２の構造を示す正面断面図
【図８】従来の手乾燥装置の構造を示す側面断面図
【符号の説明】
【００３８】
１  本体
２  メインユニット
３  乾燥室
４  高圧シールユニット
５  送風装置
６  吹出ノズル
７  制御手段
８  検知手段
９  水受け
１０ 開口部
１１ 底面部
１２ スリット形状
１３ 多孔形状
【図１】
0003985757.tif 000002
【図２】
0003985757.tif 000003
【図３】
0003985757.tif 000004
【図４】
0003985757.tif 000005
【図５】
0003985757.tif 000006
【図６】
0003985757.tif 000007
【図７】
0003985757.tif 000008
【図８】
0003985757.tif 000009